(57)【要約】【課題】個々のオーディオ信号に異なる識別情報を付した場合でも、複数の送信元の各々に送信するオーディオ信号を、各々の送信元以外の他の送信元から受信したオーディオ信号のみを合成して生成できる信号処理装置およびその方法を提供する。【解決手段】放送局１１に備えられたオーディオ処理装置２１によって、オーディオ信号Ｒ１〜Ｒ７に対して、当該オーディオ信号を識別する回線名の他に、当該オーディオ信号の送信元である中継局１２＿１〜１２＿４を識別する送信元識別情報Ｌ１〜Ｌ４が割り当てられる。オーディオ処理装置２１は、オーディオ信号Ｒ１〜Ｒ７に割り当てられた送信元識別情報Ｌ１〜Ｌ４を基に、オーディオ信号Ｔ＿Ｌ１〜Ｔ＿Ｌ４を生成するために用いるオーディオ信号Ｒ１〜Ｒ７を選択する。【選択図】      図１
2005064549.tif 000002
【特許請求の範囲】
【請求項１】
複数の送信元のうち少なくとも一つの前記送信元から複数の前記第１のオーディオ信号を受信し、前記複数の送信元から受信した複数の前記第１のオーディオ信号を合成して前記送信元に送信する複数の第２のオーディオ信号を生成する信号処理装置であって、
前記第１のオーディオ信号それぞれに当該第１のオーディオ信号を識別する第１の識別情報と当該第１のオーディオ信号の送信元を識別する第２の識別情報とを割り当てる割り当て手段と、
前記複数の送信元から受信した複数の前記第１のオーディオ信号のそれぞれに対応して設けられた選択手段であって、当該複数の第１のオーディオ信号のうち前記選択手段に対応する前記第１のオーディオ信号を、当該第１のオーディオ信号に前記割り当て手段によって割り当てられた前記第２の識別情報が示す前記送信元以外の前記送信元に送信される前記第２のオーディオ信号の生成に用いる信号としてそれぞれ選択する複数の前記選択手段と、
前記第２のオーディオ信号を、当該第２のオーディオ信号の生成に用いる信号として前記選択手段によって前記選択された複数の前記第１のオーディオ信号を合成して生成する生成手段と
を有する信号処理装置。
【請求項２】
前記複数の前記送信元の各々に対応付けられ、第１の状態と第２の状態との何れか一方を選択的にそれぞれが指定する複数の指定手段
をさらに有し、
前記選択手段は、
当該選択手段に対応する前記第１のオーディオ信号の送信元に対応付けられた前記指定手段である所定の指定手段が前記第１の状態を示す場合に、当該対応する前記第１のオーディオ信号を、当該第１のオーディオ信号の前記送信元以外の前記送信元に送信される前記第２のオーディオ信号の生成に用いる信号として選択し、
前記所定の指定手段が前記第２の状態を示す場合に、当該対応する前記第１のオーディオ信号を、前記複数の第２のオーディオ信号の全ての生成に用いる信号として選択する
請求項１に記載の信号処理装置。
【請求項３】
前記選択手段の動作を制御する制御手段
をさらに有し、
前記選択手段の各々は、
前記複数の第２のオーディオ信号の各々に対応して設けられ、当該選択手段に対応する前記第１のオーディオ信号を、オン状態で選択し、オフ状態で非選択にする複数の選択部を有し、
前記所定の指定手段が前記第１の状態を示す場合に、前記制御手段からの制御を基に、当該第１のオーディオ信号の送信元に送信される前記第２のオーディオ信号に対応した前記選択部である第１の選択部を前記オフ状態にし、当該第１の選択部以外の前記選択部である第２の選択部を前記オン状態にし、
前記制御手段は、前記所定の指定手段が前記第１の状態であるときに前記第１の選択部をマニュアル操作によりオン状態に切り換える指示を受けると、当該切り換えを禁止する旨を通知する
請求項２に記載の信号処理装置。
【請求項４】
前記複数の選択手段は、当該選択手段に対応する前記第１のオーディオ信号を、放送信号の生成に用いる信号として選択し、
前記生成手段は、前記複数の選択手段が、前記放送信号の生成に用いるとして選択した前記第１のオーディオ信号を合成して前記放送信号を生成する
請求項１〜３のいずれかに記載の信号処理装置。
【請求項５】
複数の送信元のうち少なくとも一つの前記送信元から複数の前記第１のオーディオ信号を受信し、前記複数の送信元から受信した複数の前記第１のオーディオ信号を合成して前記送信元に送信する複数の第２のオーディオ信号を生成する信号処理方法であって、
前記第１のオーディオ信号それぞれに当該第１のオーディオ信号を識別する第１の識別情報と当該第１のオーディオ信号の送信元を識別する第２の識別情報とを割り当てる第１の工程と、
前記複数の送信元から受信した複数の前記第１のオーディオ信号のそれぞれについて、当該第１のオーディオ信号に前記第１の工程で割り当てられた前記第２の識別情報が示す前記送信元以外の前記送信元に送信される前記第２のオーディオ信号の生成に用いる信号として選択する第２の工程と、
前記複数の第２のオーディオ信号の各々を、当該第２のオーディオ信号の生成に用いる信号として前記第２の工程で前記選択された複数の前記第１のオーディオ信号を合成して生成する第３の工程と
を有する信号処理方法。
【請求項６】
複数の送信元からそれぞれ単数の第１のオーディオ信号を受信し、前記複数の送信元から受信した複数の前記第１のオーディオ信号を合成して前記送信元に送信する複数の第２のオーディオ信号を生成する信号処理装置であって、
前記第１のオーディオ信号それぞれに当該第１のオーディオ信号を識別する第１の識別情報と当該第１のオーディオ信号の送信元を識別する第２の識別情報とを割り当てる割り当て手段と、
前記複数の送信元から受信した複数の前記第１のオーディオ信号のそれぞれに対応して設けられた選択手段であって、当該複数の第１のオーディオ信号のうち前記選択手段に対応する前記第１のオーディオ信号を、当該第１のオーディオ信号に前記割り当て手段によって割り当てられた前記第２の識別情報が示す前記送信元以外の前記送信元に送信される前記第２のオーディオ信号の生成に用いる信号としてそれぞれ選択する複数の前記選択手段と、
前記第２のオーディオ信号を、当該第２のオーディオ信号の生成に用いる信号として前記選択手段によって前記選択された複数の前記第１のオーディオ信号を合成して生成する生成手段と
を有する信号処理装置。
【請求項７】
単数の送信元から受信した複数の前記第１のオーディオ信号を合成して前記送信元に送信する第２のオーディオ信号を生成する信号処理装置であって、
前記第１のオーディオ信号それぞれに当該第１のオーディオ信号を識別する第１の識別情報と当該第１のオーディオ信号の送信元を識別する第２の識別情報とを割り当てる割り当て手段と、
前記送信元から受信した複数の前記第１のオーディオ信号のそれぞれに対応して設けられた選択手段であって、当該複数の第１のオーディオ信号のうち前記選択手段に対応する前記第１のオーディオ信号を、当該第１のオーディオ信号に前記割り当て手段によって割り当てられた前記第２の識別情報が示す前記送信元以外の前記送信元に送信される前記第２のオーディオ信号の生成に用いる信号としてそれぞれ選択する複数の前記選択手段と、
前記第２のオーディオ信号を、当該第２のオーディオ信号の生成に用いる信号として前記選択手段によって前記選択された複数の前記第１のオーディオ信号を合成して生成する生成手段と
を有する信号処理装置。
【発明の詳細な説明】
【０００１】
【発明の属する技術分野】
本発明は、受信した複数のオーディオ信号を合成して送信元に送信するオーディオ信号を生成する信号処理装置およびその方法に関する。
【０００２】
【従来の技術】
例えば、放送局などには、複数の中継局から当該中継局でアナウンサが発した音声などのオーディオ信号を受信し、これらを合成して各中継局に送信するミキシングコンソールと呼ばれるオーディオ処理装置が設置されている。
各中継局では、アナウンサが、放送局から受信した上記合成されたオーディオ信号に応じたオーディオ出力をイヤホンなどで聞きながらアナウンス活動を行う。
このような場合に、アナウンサが自らが発した音声が合成されたオーディオ出力をイヤホンで聞いてしまうと、オーディオ信号の送受信などに起因するタイムラグにより、自らが発した音声を遅れたタイミングで聞くことになり、アナウンス活動を行い難い。そのため、上記オーディオ処理装置では、上記複数の中継局に送信するオーディオ信号の各々を、当該中継局以外の他の中継局から受信したオーディオ信号を合成して生成している。すなわち、各中継局に送信するオーディオ信号には、当該中継局から受信したオーディオ信号を合成しない。
【０００３】
従来のオーディオ処理装置は、複数の中継局の各々から受信したオーディオ信号にユニークな回線名を割り当てている。
上記従来のオーディオ処理装置は、上記回線名を基に、上記複数の中継局から受信した複数のオーディオ信号のうち、上記所定の中継局に対応する単数の回線名以外の他の回線名に対応付けられた複数のオーディオ信号を選択して合成し、これを当該所定の中継局に送信するオーディオ信号としている。
【０００４】
【発明が解決しようとする課題】
ところで、単数の所定の中継局から複数のオーディオ信号が放送局に送信される場合がある。このような場合には、当該所定の中継局に送信するオーディオ信号は、当該所定の中継局から受信した複数のオーディオ信号を合成せずに生成する必要がある。
しかしながら、上述した従来のオーディオ処理装置では、オーディオ信号の回線名は識別できるが、そのオーディオ信号が何れの中継局から受信されるかを識別できない。また、上述した従来のオーディオ処理装置では、所定の中継局に送信するオーディオ信号を、受信した複数のオーディオ信号のうち、単数の回線名を除く他の回線名に対応付けられた複数のオーディオ信号を合成することによって生成している。
従って、上記所定の中継局に送信するオーディオ信号を、当該中継局から受信した複数のオーディオ信号を合成せずに生成するためには、当該中継局から受信する複数のオーディオ信号に、同じ回線名を割り当てる必要が生じる。
しかしながら、複数の異なるオーディオ信号に同じ回線名を割り当てると、放送局における回線の切り換えや選択をマニュアル操作で行う場合などに、誤操作の原因となり、望ましくない。
【０００５】
本発明はかかる事情に鑑みてなされたものであり、複数の送信元のうち少なくとも一つの前記送信元から複数のオーディオ信号を受信し、個々のオーディオ信号に異なる識別情報を付した場合でも、複数の送信元の各々に送信するオーディオ信号を、各々の送信元以外の他の送信元から受信したオーディオ信号のみを合成して生成できる信号処理装置およびその方法を提供することを目的とする。
【０００６】
【課題を解決するための手段】
上述した目的を達成するために、第１の発明の信号処理装置は、複数の送信元のうち少なくとも一つの前記送信元から複数の第１のオーディオ信号を受信し、前記複数の送信元から受信した複数の前記第１のオーディオ信号を合成して前記複数の送信元に送信する複数の第２のオーディオ信号を生成する信号処理装置であって、前記第１のオーディオ信号に当該第１のオーディオ信号を識別する第１の識別情報と当該第１のオーディオ信号の送信元を識別する第２の識別情報とを割り当てる割り当て手段と、前記複数の送信元から受信した複数の前記第１のオーディオ信号のそれぞれに対応して設けられ、当該複数の第１のオーディオ信号のうち対応する前記第１のオーディオ信号を、当該第１のオーディオ信号に前記割り当て手段によって割り当てられた前記第２の識別情報が示す前記送信元以外の前記送信元に送信される前記第２のオーディオ信号の生成に用いる信号としてそれぞれ選択する複数の選択手段と、前記複数の第２のオーディオ信号の各々を、当該第２のオーディオ信号の生成に用いる信号として前記選択手段によって前記選択された複数の前記第１のオーディオ信号を合成して生成する生成手段とを有する。
【０００７】
第１の発明の信号処理装置の作用は以下のようになる。
先ず、割り当て手段が、受信した第１のオーディオ信号に当該第１のオーディオ信号を識別する第１の識別情報と当該第１のオーディオ信号の送信元を識別する第２の識別情報とを割り当てる。
次に、選択手段が、前記複数の第１のオーディオ信号のうち対応する前記第１のオーディオ信号を、当該第１のオーディオ信号に割り当てられた前記第２の識別情報が示す前記送信元以外の前記送信元に送信される前記第２のオーディオ信号の生成に用いる信号としてそれぞれ選択する。
次に、生成手段が、前記複数の第２のオーディオ信号の各々を、当該第２のオーディオ信号の生成に用いる信号として前記選択手段によって前記選択された複数の前記第１のオーディオ信号を合成して生成する。
【０００８】
第２の発明の信号処理方法は、複数の送信元のうち少なくとも一つの前記送信元から複数の第１のオーディオ信号を受信し、前記複数の送信元から受信した複数の前記第１のオーディオ信号を合成して前記複数の送信元に送信する複数の第２のオーディオ信号を生成する信号処理方法であって、前記第１のオーディオ信号に当該第１のオーディオ信号を識別する第１の識別情報と当該第１のオーディオ信号の送信元を識別する第２の識別情報とを割り当てる第１の工程と、前記複数の送信元から受信した複数の前記第１のオーディオ信号のそれぞれについて、当該第１のオーディオ信号に前記第１の工程で割り当てられた前記第２の識別情報が示す前記送信元以外の前記送信元に送信される前記第２のオーディオ信号の生成に用いる信号として選択する第２の工程と、前記複数の第２のオーディオ信号の各々を、当該第２のオーディオ信号の生成に用いる信号として前記第２の工程で前記選択された複数の前記第１のオーディオ信号を合成して生成する第３の工程とを有する。
【０００９】
第３の発明の信号処理装置は、複数の送信元からそれぞれ単数の第１のオーディオ信号を受信し、前記複数の送信元から受信した複数の前記第１のオーディオ信号を合成して前記送信元に送信する複数の第２のオーディオ信号を生成する信号処理装置であって、前記第１のオーディオ信号それぞれに当該第１のオーディオ信号を識別する第１の識別情報と当該第１のオーディオ信号の送信元を識別する第２の識別情報とを割り当てる割り当て手段と、前記複数の送信元から受信した複数の前記第１のオーディオ信号のそれぞれに対応して設けられた選択手段であって、当該複数の第１のオーディオ信号のうち前記選択手段に対応する前記第１のオーディオ信号を、当該第１のオーディオ信号に前記割り当て手段によって割り当てられた前記第２の識別情報が示す前記送信元以外の前記送信元に送信される前記第２のオーディオ信号の生成に用いる信号としてそれぞれ選択する複数の前記選択手段と、前記第２のオーディオ信号を、当該第２のオーディオ信号の生成に用いる信号として前記選択手段によって前記選択された複数の前記第１のオーディオ信号を合成して生成する生成手段とを有する。
【００１０】
第４の発明の信号処理装置は、単数の送信元から受信した複数の前記第１のオーディオ信号を合成して前記送信元に送信する第２のオーディオ信号を生成する信号処理装置であって、前記第１のオーディオ信号それぞれに当該第１のオーディオ信号を識別する第１の識別情報と当該第１のオーディオ信号の送信元を識別する第２の識別情報とを割り当てる割り当て手段と、前記送信元から受信した複数の前記第１のオーディオ信号のそれぞれに対応して設けられた選択手段であって、当該複数の第１のオーディオ信号のうち前記選択手段に対応する前記第１のオーディオ信号を、当該第１のオーディオ信号に前記割り当て手段によって割り当てられた前記第２の識別情報が示す前記送信元以外の前記送信元に送信される前記第２のオーディオ信号の生成に用いる信号としてそれぞれ選択する複数の前記選択手段と、前記第２のオーディオ信号を、当該第２のオーディオ信号の生成に用いる信号として前記選択手段によって前記選択された複数の前記第１のオーディオ信号を合成して生成する生成手段とを有する。
【００１１】
【発明の実施の形態】
以下、本発明の実施形態に係わる放送システムについて説明する。
図１は、本発明の実施形態に係わる放送システム１の全体構成図である。
図１に示すように、本実施形態の放送システム１は、例えば、放送局１１と中継局１２＿１，１２＿２，１２＿３，１２＿４とを有する。
放送システム１は、例えば、アナウンサが発した音声などのオーディオ信号Ｒ１〜Ｒ３を中継局１２＿１から放送局１１に送信し、オーディオ信号Ｒ４，Ｒ５を中継局１２＿２から放送局１１に送信し、オーディオ信号Ｒ６を中継局１２＿３から放送局１１に送信し、オーディオ信号Ｒ７を中継局１２＿４から放送局１１に送信する。
そして、放送局１１のオーディオ処理装置２１が、受信したオーディオ信号Ｒ１〜Ｒ７の全てを合成した放送信号Ｔ＿ＢＣを送信し、これを放送する。
オーディオ処理装置２１は、中継局１２＿１〜１２＿４の各々に送信するオーディオ信号Ｔ＿Ｌ１〜Ｔ＿Ｌ４の各々を、当該中継局以外の他の中継局から受信したオーディオ信号を合成して生成している。すなわち、オーディオ処理装置２１は、中継局１２＿１〜１２＿４の各々に送信するオーディオ信号を、当該中継局から受信したオーディオ信号を合成せずに生成する。
【００１２】
放送システム１では、オーディオ処理装置２１において、オーディオ信号Ｒ１〜Ｒ７に対して、当該オーディオ信号を識別する回線名（本発明の第１の識別情報）と、当該オーディオ信号の送信元である中継局１２＿１〜１２＿４を識別する送信元識別情報Ｌ１〜Ｌ４（本発明の第２の識別情報）とを割り当てる。
そして、オーディオ処理装置２１は、受信したオーディオ信号Ｒ１〜Ｒ７に割り当てられた送信元識別情報Ｌ１〜Ｌ４を基に、オーディオ信号Ｔ＿Ｌ１〜Ｔ＿Ｌ４を生成するために用いるオーディオ信号Ｒ１〜Ｒ７を選択する。
【００１３】
本実施形態において、中継局１２＿１〜１２＿４が本発明の送信元に対応し、オーディオ処理装置２１が本発明の信号処理装置によって構成される。
また、オーディオ信号Ｒ１〜Ｒ７が本発明の第１のオーディオ信号に対応し、オーディオ信号Ｔ＿Ｌ１〜Ｔ＿Ｌ４が本発明の第２のオーディオ信号に対応している。
【００１４】
図２は、図１に示すオーディオ処理装置２１の構成図である。
図２に示すように、オーディオ処理装置２１は、例えば、ホストコンピュータ２２、表示部２３、操作部２４、内部バス２５、操作パネル２６、音声処理部２７、受信部２８、送信部２９および内部バス３０を有する。
ホストコンピュータ２２は、例えば、所定のプログラムを実行して、オーディオ処理装置２１の全体動作を制御する。
表示部２３は、ホストコンピュータ２２からの表示信号に応じた画面表示を行う。
具体的には、表示部２３には、自動アサインボタンＭ＿Ｌ１〜Ｍ＿Ｌ４、並びに自動アサイン禁止ボタンＭＩ＿Ｌ１〜ＭＩ＿Ｌ４が画像として表示される。
ここで、自動アサインボタンＭ＿Ｌ１〜Ｍ＿Ｌ４が本発明の指定手段に対応している。
操作部２４は、ホストコンピュータ２２に所定の指示を入力するためのマウスやキ−ボードなどの操作手段である。
ユーザによる操作部２４の操作に応じて、表示部２３に表示された自動アサインボタンＭ＿Ｌ１〜Ｍ＿Ｌ４、並びに自動アサイン禁止ボタンＭＩ＿Ｌ１〜ＭＩ＿Ｌ４がオン／オフされる。
本実施形態では、表示部２３の表示を基にしたユーザによる操作部２４の操作に応じて、受信したオーディオ信号Ｒ１〜Ｒ７に対して、当該オーディオ信号を識別する回線名と、当該オーディオ信号の送信元である中継局１２＿１〜１２＿４を識別する送信元識別情報Ｌ１〜Ｌ４とを割り当てる設定が行われる。
当該割り当て情報は、ホストコンピュータ２２から音声処理部２７に提供される。
操作パネル２６は、後述する各スイッチの操作ボタンなどを備え、ユーザによる当該ボタンの操作を基に音声処理部２７の処理を制御する。
音声処理部２７は、受信部２８を介して入力したオーディオ信号Ｒ１〜Ｒ７の増幅、選択および合成などの処理を行って新たなオーディオ信号Ｔ＿Ｌ１〜Ｔ＿Ｌ４および放送信号Ｔ＿ＢＣを生成し、これを送信部２９に出力する。
受信部２８は、例えば、図１に示す中継局１２＿１〜１２＿４から受信したオーディオ信号Ｒ１〜Ｒ７を音声処理部２７に出力する。
送信部２９は、音声処理部２７から入力したオーディオ信号Ｔ＿Ｌ１〜Ｔ＿Ｌ４を、中継局１２＿１〜１２＿４に送信する。
また、送信部２９は、音声処理部２７から入力した放送信号Ｔ＿ＢＣを放送する。
【００１５】
図３は、図２に示す音声処理部２７の構成図である。
図３に示すように、音声処理部２７は、例えば、入力制御部３１、選択回路３２＿１〜３２＿７、合成部３３および制御部３４を有する。
ここで、選択回路３２＿１〜３２＿７が本発明の選択手段に対応し、合成部３３が本発明の生成手段に対応し、制御部３４が本発明の制御手段に対応している。
また、図２に示す表示部２３、操作部２４およびホストコンピュータ２２が本発明の割り当て手段に対応している。
【００１６】
入力制御部３１は、図２に示す受信部２８から入力したオーディオ信号Ｒ１〜Ｒ７をそれぞれ選択回路３２＿１〜３２＿７に出力する。
選択回路３２＿１〜３２＿７は、オーディオ信号Ｒ１〜Ｒ７のそれぞれに対応して設けられ、制御部３４からの選択信号ＳＥＬを基に、それぞれ入力したオーディオ信号Ｒ１〜Ｒ７のなかから、送信用のオーディオ信号Ｔ＿Ｌ１〜Ｔ＿Ｌ４および放送信号Ｔ＿ＢＣの生成に用いるオーディオ信号を選択して合成部３３に出力する。
【００１７】
図４（Ａ）は、選択回路３２＿１の構成図である。
図４（Ａ）に示すように、選択回路３２＿１は、調整部ＡＪ１と、スイッチＳＷ１＿Ｌ１，ＳＷ１＿Ｌ２，ＳＷ１＿Ｌ３，ＳＷ１＿Ｌ４およびＳＷ１＿ＢＣとを有する。
調整部ＡＪ１は、入力制御部３１から入力したオーディオ信号Ｒ＿１に増幅などの処理を施してスイッチＳＷ１＿Ｌ１，ＳＷ１＿Ｌ２，ＳＷ１＿Ｌ３，ＳＷ１＿Ｌ４およびＳＷ１＿ＢＣに出力する。
スイッチＳＷ１＿Ｌ１，ＳＷ１＿Ｌ２，ＳＷ１＿Ｌ３，ＳＷ１＿Ｌ４およびＳＷ１＿ＢＣは、制御部３４からの選択信号ＳＥＬを基にオン状態（接続状態）とオフ状態（非接続状態）との何れか一方の状態になる。
図４（Ｂ）、図５（Ａ），（Ｂ）、図６（Ａ），（Ｂ）および図７は、それぞれ選択回路３２＿２，３２＿３，３２＿４，３２＿５，３２＿６，３２＿７の構成図である。
これらの図に示すように、選択回路３２＿２，３２＿３，３２＿４，３２＿５，３２＿６，３２＿７は、上述した選択回路３２＿１と同じ構成を有している。
但し、選択回路３２＿２，３２＿３，３２＿４，３２＿５，３２＿６，３２＿７は、制御信号ＳＥＬを基に、選択回路３２＿１の場合とは独立して、スイッチＳＷｎ＿Ｌ１，Ｌ２，Ｌ３，Ｌ４，ＢＣ（ｎは２〜７の整数）のオン・オフ状態が規定される。
ここで、スイッチＳＷｎ＿Ｌ１，Ｌ２，Ｌ３，Ｌ４，ＢＣが本発明の選択部に対応している。
【００１８】
本実施形態では、図３に示すように、オーディオ信号Ｒ１〜Ｒ７には、操作部２４の操作によって、オーディオ信号を識別する回線名であるＮＥＴｎと、当該オーディオ信号の送信元を識別する送信元識別情報Ｌｍ（本実施形態の場合、ｍは１〜４の整数）が割り当てられている。
ここで、オーディオ信号Ｒｎには、音声のコンテンツ信号Ａｎが含まれている。
【００１９】
合成部３３は、選択回路３２＿１〜３２＿７によってオーディオ信号Ｔ＿Ｌ１の生成に用いるオーディオ信号として選択されて入力した複数のオーディオ信号を合成して送信用のオーディオ信号Ｔ＿Ｌ１を生成し、これを図２に示す内部バス３０を介して送信部２９に送信する。
また、合成部３３は、選択回路３２＿１〜３２＿７によってオーディオ信号Ｔ＿Ｌ２の生成に用いるオーディオ信号として選択されて入力した複数のオーディオ信号を合成して送信用のオーディオ信号Ｔ＿Ｌ２を生成し、これを図２に示す内部バス３０を介して送信部２９に送信する。
また、合成部３３は、選択回路３２＿１〜３２＿７によってオーディオ信号Ｔ＿Ｌ３の生成に用いるオーディオ信号として選択されて入力した複数のオーディオ信号を合成して送信用のオーディオ信号Ｔ＿Ｌ３を生成し、これを図２に示す内部バス３０を介して送信部２９に送信する。
【００２０】
また、合成部３３は、選択回路３２＿１〜３２＿７によってオーディオ信号Ｔ＿Ｌ４の生成に用いるオーディオ信号として選択されて入力した複数のオーディオ信号を合成して送信用のオーディオ信号Ｔ＿Ｌ４を生成し、これを図２に示す内部バス３０を介して送信部２９に送信する。
また、合成部３３は、選択回路３２＿１〜３２＿７によって放送信号Ｔ＿ＢＣの生成に用いるオーディオ信号として選択されて入力した複数のオーディオ信号を合成して放送信号Ｔ＿ＢＣを生成し、これを図２に示す内部バス３０を介して送信部２９に送信する。
【００２１】
制御部３４は、音声処理部２７の処理を統括的に制御する。
制御部３４は、操作パネル２６の自動アサインボタンＭ＿Ｌ１がオン状態の場合に、図４（Ａ），（Ｂ）および図５（Ａ）に示すように、送信元識別情報Ｌが「Ｌ１」を示すオーディオ信号を入力する選択回路３２＿１〜３２＿３のスイッチＳＷ１＿Ｌ１，ＳＷ２＿Ｌ１，ＳＷ３＿Ｌ１をオフ状態にする選択信号ＳＥＬを選択回路３２＿１〜３２＿３に出力する。
また、制御部３４は、図５（Ｂ）および図６（Ａ）に示すように、表示部２３に表示された自動アサインボタンＭ＿Ｌ２がオン状態の場合に、割り当てられた送信元識別情報Ｌが「Ｌ２」を示すオーディオ信号を入力する選択回路３２＿４，３２＿５のスイッチＳＷ４＿Ｌ２，ＳＷ５＿Ｌ２をオフ状態にする選択信号ＳＥＬを選択回路３２＿４，３２＿５に出力する。
【００２２】
また、制御部３４は、操作パネル２６の自動アサインボタンＭ＿Ｌ３がオン状態の場合に、図６（Ｂ）に示すように、割り当てられた送信元識別情報Ｌが「Ｌ３」を示すオーディオ信号を入力する選択回路３２＿６のスイッチＳＷ６＿Ｌ３をオフ状態にする選択信号ＳＥＬを選択回路３２＿６に出力する。
また、制御部３４は、表示部２３に表示された自動アサインボタンＭ＿Ｌ４がオン状態の場合に、図７に示すように、割り当てられた送信元識別情報Ｌが「Ｌ４」を示すオーディオ信号を入力する選択回路３２＿７のスイッチＳＷ７＿Ｌ４をオフ状態にする選択信号ＳＥＬを選択回路３２＿７に出力する。
【００２３】
以下、図２および図３に示すオーディオ処理装置２１の動作例を説明する。
〔第１の動作例〕
以下、操作パネル２６の自動アサインボタンＭ＿Ｌｍ（ｍは１〜４の整数）がオフ状態からオン状態に切り換わった場合の動作例を説明する。
図８は、当該動作例を説明するためのフローチャートである。
図８に示す各ステップを説明する。
ステップＳＴ１：
ユーザが表示部２３に表示された自動アサインボタンＭ＿Ｌｍをオフ（本発明の第２の状態）からオン（本発明の第１の状態）に切り換える。
制御部３４は、上記切り換えを検出すると、ステップＳＴ２の処理に進み、そうでない場合には当該ステップＳＴ１の処理を繰り返す。
【００２４】
ステップＳＴ２：
制御部３４は、変数Ｎに、受信するオーディオ信号の数を設定する。
本実施形態では、受信するオーディオ信号Ｒ＿１〜Ｒ＿７の数は「７」であるので変数Ｎに「７」を設定する。
【００２５】
ステップＳＴ３：
制御部３４は、変数ｎに初期値「１」を設定する。
【００２６】
ステップＳＴ４：
制御部３４は、選択回路３２＿ｎに入力されるオーディオ信号Ｒｎに割り当てられた送信元識別情報Ｌが「Ｌｍ」であるか否かを判断し、「Ｌｍ」であると判断した場合にはステップＳＴ５に進み、そうでない場合にはステップＳＴ６に進む。
【００２７】
ステップＳＴ５：
制御部３４は、選択回路３２＿ｎのスイッチＳＷｎ＿Ｌｍをオフ状態に切り換える（設定する）。
ステップＳＴ６：
制御部３４は、選択回路３２＿ｎのスイッチＳＷｎ＿Ｌｍをオン状態に切り換える。
【００２８】
ステップＳＴ７：
制御部３４は、変数ｎが「Ｎ」である否かを判断し、「Ｎ」であると判断すると処理を終了し、そうでない場合にはステップＳＴ８の処理に進む。
【００２９】
ステップＳＴ８：
制御部３４は、変数ｎに「１」を加算して、ステップＳＴ４の処理に戻る。
【００３０】
〔第２の動作例〕
以下、自動アサインボタンＭ＿Ｌｍがオン状態であるときに、図４〜図７に示す選択回路３２＿１〜３２＿７のスイッチＳＷｎ＿Ｌｍがマニュアル（ユーザの手動）によりユーザによって操作された場合の動作例を説明する。
図９は、当該動作例を説明するためのフローチャートである。
以下、図９の各ステップを説明する。
ステップＳＴ１０：
制御部３４は、表示部２３の自動アサイン禁止ボタンＭＩ＿Ｌｍがオンであるか否かを判断し、オンであると判断するとステップＳＴ１１に進み、そうでない場合にはステップＳＴ１０の処理を繰り返す。
ステップＳＴ１１：
制御部３４は、ユーザのマニュアル操作により、スイッチＳＷｎ＿Ｌｍが操作されたか否かを判断し、操作されたと判断するとステップＳＴ１２に進み、そうでない場合にはステップＳＴ１１の処理を繰り返す。
ステップＳＴ１２：
制御部３４は、ステップＳＴ１１のマニュアル操作が、スイッチＳＷｎ＿Ｌｍのオン操作であるか否かを判断し、オン操作であると判断すると、ステップＳＴ１３に進み、そうでない場合にはステップＳＴ１７に進む。
【００３１】
ステップＳＴ１３：
制御部３４は、選択回路３２＿ｎに入力されるオーディオ信号Ｒｎに割り当てられた送信元識別情報Ｌが「Ｌｍ」を示しているか否かを判断し、「Ｌｍ」を示してると判断するとステップＳＴ１４に進み、そうでない場合にはステップＳＴ１５に進む。
ステップＳＴ１４：
制御部３４は、ステップＳＴ１で行われたスイッチＳＷｎ＿Ｌｍのマニュアル操作をキャンセルする旨の表示（通知）を行う。当該表示は、例えば、図２に示す表示部２３あるいは操作パネル２６の当該スイッチに対応する表示部などに行う。
【００３２】
ステップＳＴ１５：
制御部３４は、ステップＳＴ１でマニュアル操作が行われたスイッチＳＷｎ＿Ｌｍをオンする旨の表示を行う。
ステップＳＴ１６：
制御部３４は、スイッチＳＷｎ＿Ｌｍをオンする選択信号ＳＥＬを生成し、これを選択回路３２＿ｎに出力する。これにより、選択回路３２＿ｎのスイッチＳＷｎ＿Ｌｍが接続状態になる。
【００３３】
ステップＳＴ１７：
制御部３４は、ステップＳＴ１でマニュアル操作が行われたスイッチＳＷｎ＿Ｌｍをオフする旨の表示を行う。
ステップＳＴ１８：
制御部３４は、スイッチＳＷｎ＿Ｌｍをオフする選択信号ＳＥＬを生成し、これを選択回路３２＿ｎに出力する。これにより、選択回路３２＿ｎのスイッチＳＷｎ＿Ｌｍが非接続状態になる。
【００３４】
〔第３の動作例〕
以下、図３に示す自動アサインボタンＭ＿Ｌ１〜Ｍ＿Ｌ４の全てがオンの場合の動作例を説明する。
この場合には、選択回路３２＿１〜３２＿７のスイッチＳＷｎ＿Ｌ１，Ｌ２，Ｌ３，Ｌ４，ＢＣ（ｎは１〜７の整数）のオン・オフ状態は、図４〜図７に示されるようになる。
これにより、合成部３３において、選択回路３２＿４〜３２＿７で選択されたオーディオ信号Ｒ４〜Ｒ７内の音声のコンテンツ信号Ａ４〜Ａ７を合成したオーディオ信号Ｔ＿Ｌ１が生成され、これが送信部２９を介して中継局１２＿１に送信される。
また、合成部３３において、選択回路３２＿１〜３２＿３，Ｒ＿６，Ｒ＿７で選択されたオーディオ信号Ｒ１〜Ｒ３，Ｒ６，Ｒ７内の音声のコンテンツ信号Ａ１〜Ａ３，Ｒ６，Ｒ７を合成したオーディオ信号Ｔ＿Ｌ２が生成され、これが送信部２９を介して中継局１２＿２に送信される。
また、合成部３３において、選択回路３２＿１〜３２＿５，３２＿７で選択されたオーディオ信号Ｒ１〜Ｒ５，Ｒ７内の音声のコンテンツ信号Ａ１〜Ａ５，Ａ７を合成したオーディオ信号Ｔ＿Ｌ３が生成され、これが送信部２９を介して中継局１２＿３に送信される。
また、合成部３３において、選択回路３２＿１〜３２＿６で選択されたオーディオ信号Ｒ１〜Ｒ６内の音声のコンテンツ信号Ａ１〜Ａ６を合成したオーディオ信号Ｔ＿Ｌ４が生成され、これが送信部２９を介して中継局１２＿４に送信される。
また、合成部３３において、選択回路３２＿１〜３２＿７で選択されたオーディオ信号Ｒ１〜Ｒ７内の音声のコンテンツ信号Ａ１〜Ａ７を合成した放送信号Ｔ＿ＢＣが生成され、これが送信部２９を介して放送される。
【００３５】
以上説明したように、放送システム１のオーディオ処理装置２１では、図３に示すように、オーディオ信号Ｒ１〜Ｒ７に対して、オーディオ信号を識別する回線名であるＮＥＴｎと、当該オーディオ信号の送信元を識別する送信元識別情報Ｌｍ（本実施形態の場合、ｍは１〜４の整数）とを割り当てる。また、選択回路３２＿１〜３２＿７は、送信元識別情報Ｌｍに対応したスイッチを有し、制御部３４が送信元識別情報Ｌｍを基に、これらのスイッチのオン・オフ状態を切り換える。
そのため、オーディオ処理装置２１によれば、同じ中継局から複数のオーディオ信号を受信する場合に、これらのオーディオ信号に同じ回線名を割り当てなくても、送信元識別情報Ｌｍを基に、選択回路３２＿１〜３２＿７における選択動作を行い、当該中継局以外の中継局から受信したオーディオ信号のみを合成して、当該中継局に送信するオーディオ信号を生成できる。
その結果、ユーザは、操作パネル２６などで操作を行う際に、中継局から受信した複数のオーディオ信号を、その回線名を基に適切に識別でき、誤操作を回避できる。
【００３６】
本発明は上述した実施形態には限定されない。
上述した実施形態では、複数の中継局から受信したオーディオ信号を合成して、当該中継局に送信するオーディオ信号を生成するシステムに本発明を適用した場合を例示したが、本発明は、その他、複数の送信元から受信したオーディオ信号を合成して当該送信元に送信するオーディオ信号を生成するその他のシステムに対しても適用が可能である。
また、本発明は、中継局１２＿１〜１２＿４の全てが単数のオーディオ信号を送信してもよい。
また、本発明は、放送局１１が、単数の中継局１２＿１のみから複数のオーディオ信号を受信してもよい。
また、本発明は、放送局１１が、単数の中継局１２＿１のみから単数のオーディオ信号を受信してもよい。
【００３７】
【発明の効果】
以上説明したように、本発明によれば、複数の送信元のうち少なくとも一つの前記送信元から複数の第１のオーディオ信号を受信し、個々の第１のオーディオ信号に異なる識別情報を付した場合でも、複数の送信元の各々に送信する第２のオーディオ信号を、各々の送信元以外の他の送信元から受信した第１のオーディオ信号のみを合成して生成できる信号処理装置およびその方法を提供することができる。
【図面の簡単な説明】
【図１】図１は、本発明の実施形態に係わる放送システムの全体構成図である。
【図２】図２は、図１に示すオーディオ処理装置の構成図である。
【図３】図３は、図２に示す音声処理部の構成図である。
【図４】図４（Ａ）は、図３に示す選択回路３２＿１の構成図、図４（Ｂ）は、図３に示す選択回路３２＿２の構成図である。
【図５】図５（Ａ）は、図３に示す選択回路３２＿３の構成図、図５（Ｂ）は、図３に示す選択回路３２＿４の構成図である。
【図６】図６（Ａ）は、図３に示す選択回路３２＿５の構成図、図６（Ｂ）は、図３に示す選択回路３２＿６の構成図である。
【図７】図７は、図３に示す選択回路３２＿７の構成図である。
【図８】図８は、図２に示す操作パネル２６の自動アサインボタンＭ＿Ｌｍ（ｍは１〜４の整数）がオフ状態からオン状態に切り換わった場合の動作例を説明するためのフローチャートである。
【図９】図９は、自動アサインボタンＭ＿Ｌｍがオン状態であるときに、図４〜図７に示す選択回路のスイッチＳＷｎ＿Ｌｍがマニュアル（ユーザの手動）によりユーザによって操作された場合の動作例を説明するためのフローチャートである。
【符号の説明】
１…放送システム、１１…放送局、１２＿１〜１２＿４…中継局、２２…ホストコンピュータ、２３…表示部、２４…操作部、２５…内部バス、２６…操作パネル、２７…音声処理部、２８…受信部、２９…送信部、３０…内部バス、３１…入力制御部、３２＿１〜３２＿７…選択回路、３３…合成部、３４…制御部、Ｍ＿Ｌ１〜Ｍ＿Ｌ４…自動アサインボタン、ＭＩ＿Ｌ１〜ＭＩ＿Ｌ４…自動アサイン禁止ボタン
【図１】
2005064549.tif 000003
【図２】
2005064549.tif 000004
【図３】
2005064549.tif 000005
【図４】
2005064549.tif 000006
【図５】
2005064549.tif 000007
【図６】
2005064549.tif 000008
【図７】
2005064549.tif 000009
【図８】
2005064549.tif 000010
【図９】
2005064549.tif 000011